(57)【特許請求の範囲】
【請求項１】
撮像手段と、
当該撮像手段の出力映像を記録する記録手段と、
計時手段と、
撮影開始を指示するためのスイッチを有する操作手段と、
当該操作手段の操作が行われたときの前記撮像手段のズーム倍率が所定の倍率以上の高倍率であるときは、前記操作手段の操作により前記スイッチが押し続けられた時間に応じて、前記記録手段による前記出力映像の記録を即座に開始するか、或いは所定時間経過後に記録を開始するかを選択可能とする記録制御手段
とを具備し、
前記記録制御手段は、前記操作手段の操作が行われたときの前記撮像手段のズーム倍率が前記所定の倍率未満の低倍率であるときは、前記スイッチが押されたことに応じて即座に前記記録手段による前記出力映像の記録を開始するよう制御する
ことを特徴とする画像記録装置。
【請求項２】
撮像手段と、
当該撮像手段の出力映像を記録する記録手段と、
計時手段と、
撮影開始を指示するためのスイッチを有する操作手段と、
当該操作手段の操作が行われたときの前記撮像手段のズーム倍率が所定の倍率以上の高倍率である場合は、前記操作手段の操作により前記スイッチが押し続けられた時間に応じて、前記記録手段による前記出力映像の記録を即座に開始するか、或いは所定時間経過後に記録を開始するかを選択可能とする記録制御手段
とを具備し、
前記記録制御手段は、前記操作手段の操作により前記スイッチが一定時間以上継続して押されたときには、前記記録手段による前記出力映像の記録を即座に開始するよう制御し、前記スイッチが前記一定時間に満たない間だけ押されたときには、前記記録手段による前記出力映像の記録を所定時間経過後に開始するよう制御する
ことを特徴とする画像記録装置。
【請求項３】
更に、前記記録手段による前記出力映像の記録の開始タイミングを表示する表示手段を具備する請求項１または２に記載の画像記録装置。
【請求項４】
撮像手段で行われる撮像ステップと、
撮影開始を指示するためのスイッチがユーザーにより押されることにより撮影開始の指示を受け付ける指示入力ステップと、
前記スイッチが押されたときの前記撮像ステップにおけるズーム倍率が所定の倍率以上の高倍率であるときは、前記スイッチが押し続けられた時間に応じて、前記撮像ステップで撮像された撮影映像の記録を即座に開始するか、或いは所定時間経過後に記録を開始するかを自動的に選択する記録ステップ
とを有し、
前記記録ステップは、前記スイッチが押されたときの前記撮像ステップにおけるズーム倍率が前記所定の倍率未満の低倍率であるときは、前記スイッチが押されたことに応じて即座に前記撮像ステップで撮像された撮影映像の記録を開始する
ことを特徴とする画像記録方法。
【請求項５】
撮像手段で行われる撮像ステップと、
撮影開始を指示するためのスイッチがユーザーにより押されることにより撮影開始の指示を受け付ける指示入力ステップと、
前記スイッチが押されたときの前記撮像ステップにおけるズーム倍率が所定の倍率以上の高倍率である場合は、前記スイッチが押し続けられた時間に応じて、前記撮像ステップで撮像された撮影映像の記録を即座に開始するか、或いは所定時間経過後に記録を開始するかを自動的に選択する記録ステップ
とを有し、
前記記録ステップは、前記スイッチが一定時間以上継続して押されたときには、前記撮像ステップで撮像された撮影映像の記録を即座に開始し、前記スイッチが前記一定時間に満たない間だけ押されたときには、前記撮像ステップで撮像された撮影映像の記録を所定時間経過後に開始する
ことを特徴とする画像記録方法。
【請求項６】
更に、前記撮影映像の記録開始タイミングを表示する表示ステップを有する請求項４または５に記載の画像記録方法。
【発明の詳細な説明】
【０００１】
【発明の属する技術分野】
本発明は、画像記録装置及び方法に関する。
【０００２】
【従来の技術】
従来から、銀塩フィルムカメラ及びビデオカメラでは、種々の手ブレ防止システムが提案され、実用化されている。一部の銀塩フィルムカメラでは、レンズの位置又は特殊なプリズム機構を制御することで、ブレを相殺するように光軸を変化させる光学式手ブレ補正制御が採用されている。デジタルビデオカメラでは、光学式手ブレ制御の他に、検出されたブレに応じて、ブレを相殺するように撮像素子からの画像読み出し範囲を帰還制御する電子的ブレ補正技術が採用されている。
【０００３】
静止画撮影の場合、シャッタスピードを速くすることで、大抵の条件下ではブレの無い静止画を撮影できる。しかし、低照度の下ではシャッタスピードを速くできない。望遠レンズの望遠側で、かつ手持ち撮影の場合では、手ブレの影響が大きい。従って、静止画撮影でも、光学式手ブレ補正機能は極めて有効である。
【０００４】
ビデオカメラの電子カメラでは、光学式手ブレ補正機能も用いられているが、光学系をシンプルにして小型化及び低コスト化する要求も強いので、電子式の手ブレ補正方式が用いられることが多い。電子式手ブレ補正方式を採用する場合、撮影解像度（有効画素）よりも総画素数が多く、有効画素よりも外側に広い撮像素子を用い、手ブレを打ち消すように有効画素の読み出しエリアを変更しかつ撮像素子の１画素以下のブレに対しては、補間を伴う画像処理を行うことで、見かけ上の手ブレを防止している。
【０００５】
手ブレには、光軸が角度を持って回転する回転ブレと、光軸が平行に移動するシフトブレとがあり、通常の撮影での手ブレは、これらの合成からなる。因みに、撮影機器を手で持った状態の望遠側での撮影で、レンズを通して見えている映像のブレに大きく関与しているのは、一般的に回転ブレである。ジャイロセンサなどによりブレの角変位、角速度及び角加速度などを検出し、ブレを打ち消す演算結果を補正制御にフィードバックして、ブレを解消する。ジャイロセンサだけでなく、撮像素子から出力される画像から幾つかの画素をサンプリングし、移動方向・速度（ブレ方向の動きベクトル）を認識する技術を使用、又は、ジャイロセンサと併用することがある。
【０００６】
静止画記録のように、数百分の１秒〜数千分の１秒と言うような高速なシャッタスピードで撮影が行える場合には、手ブレは影響しない。ビデオカメラでもワイド端での撮影では、手ブレはあまり影響しない。
【０００７】
【発明が解決しようとする課題】
ビデオカメラの場合、光学式ズーム機能だけを見ると、光学レンズを制御するために倍率を１０〜２０倍程度以下とするものがほとんどである。これに対して、電子式ズーム機能を組み合わせてデジタル的にズーム処理し、光学１０倍、デジタルズーム２０倍、合わせて最大２００倍（光学１０倍×デジタル２０倍）と言うようなズーム倍率のビデオカメラも製品化されている。
【０００８】
ビデオカメラでは、光学式及び電子式の様々な手ブレ防止の防振方式が実現されている。しかし、撮影開始時及び撮影終了時における、操作者のボタン操作などによるブレは、解決されていない。これは１００倍とか２００倍といった高倍率での撮影では、なおさら顕著である。
【０００９】
このような極端な高倍率ズーム時でなくとも、片手での撮影の際に、操作ボタンを強く押した時に映像のブレが生じ、撮影対象を正確に捉えられなくなってしまうことがある。
【００１０】
本発明は、ビデオカメラによる動画撮影において、高倍率ズームの状態で撮影を開始する時のユーザの操作によりブレてしまった映像が、そのまま記録されてしまうことを防止する画像記録装置及び方法を提示することを目的とする。
【００１１】
【課題を解決するための手段】
本出願に係る画像記録装置は、撮像手段と、当該撮像手段の出力映像を記録する記録手段と、計時手段と、撮影開始を指示するためのスイッチを有する操作手段と、当該操作手段の操作が行われたときの前記撮像手段のズーム倍率が所定の倍率以上の高倍率であるときは、前記操作手段の操作により前記スイッチが押し続けられた時間に応じて、前記記録手段による前記出力映像の記録を即座に開始するか、或いは所定時間経過後に記録を開始するかを選択可能とする記録制御手段とを具備し、前記記録制御手段は、前記操作手段の操作が行われたときの前記撮像手段のズーム倍率が前記所定の倍率未満の低倍率であるときは、前記スイッチが押されたことに応じて即座に前記記録手段による前記出力映像の記録を開始するよう制御することを特徴とする。
【００１２】
本発明に係る画像記録装置は、撮像手段と、当該撮像手段の出力映像を記録する記録手段と、計時手段と、撮影開始を指示するためのスイッチを有する操作手段と、当該操作手段の操作が行われたときの前記撮像手段のズーム倍率が所定の倍率以上の高倍率である場合は、前記操作手段の操作により前記スイッチが押し続けられた時間に応じて、前記記録手段による前記出力映像の記録を即座に開始するか、或いは所定時間経過後に記録を開始するかを選択可能とする記録制御手段とを具備し、前記記録制御手段は、前記操作手段の操作により前記スイッチが一定時間以上継続して押されたときには、前記記録手段による前記出力映像の記録を即座に開始するよう制御し、前記スイッチが前記一定時間に満たない間だけ押されたときには、前記記録手段による前記出力映像の記録を所定時間経過後に開始するよう制御することを特徴とする。
【００１３】
本発明に係る画像記録方法は、撮像手段で行われる撮像ステップと、撮影開始を指示するためのスイッチがユーザーにより押されることにより撮影開始の指示を受け付ける指示入力ステップと、前記スイッチが押されたときの前記撮像ステップにおけるズーム倍率が所定の倍率以上の高倍率であるときは、前記スイッチが押し続けられた時間に応じて、前記撮像ステップで撮像された撮影映像の記録を即座に開始するか、或いは所定時間経過後に記録を開始するかを自動的に選択する記録ステップとを有し、前記記録ステップは、前記スイッチが押されたときの前記撮像ステップにおけるズーム倍率が前記所定の倍率未満の低倍率であるときは、前記スイッチが押されたことに応じて即座に前記撮像ステップで撮像された撮影映像の記録を開始することを特徴とする。
【００１４】
本発明に係る画像記録方法は、撮像手段で行われる撮像ステップと、撮影開始を指示するためのスイッチがユーザーにより押されることにより撮影開始の指示を受け付ける指示入力ステップと、前記スイッチが押されたときの前記撮像ステップにおけるズーム倍率が所定の倍率以上の高倍率である場合は、前記スイッチが押し続けられた時間に応じて、前記撮像ステップで撮像された撮影映像の記録を即座に開始するか、或いは所定時間経過後に記録を開始するかを自動的に選択する記録ステップとを有し、前記記録ステップは、前記スイッチが一定時間以上継続して押されたときには、前記撮像ステップで撮像された撮影映像の記録を即座に開始し、前記スイッチが前記一定時間に満たない間だけ押されたときには、前記撮像ステップで撮像された撮影映像の記録を所定時間経過後に開始することを特徴とする。
【００１５】
【実施例】
以下、図面を参照して、本発明の実施例を詳細に説明する。
【００１６】
図１は、本発明の一実施例であるデジタルビデオカメラの概略構成ブロック図を示す。図２は、その制御手順のフローチャートを示す。
【００１７】
１０はズーム付きレンズであり、撮像素子１２は、レンズ１０による光学像を電気画像信号に変換する。本実施例では、撮像素子１２は、総画素数６８万画素、有効画素数３６万画素であり、有効画素エリアの外のエリアは、電子的な手ブレ補正機能のために使用される。撮像素子駆動回路１４は、カメラ信号処理回路２２からのタイミング信号に従って撮像素子１２を駆動する。
【００１８】
ＣＤＳ（Ｃｏｒｒｅｌａｔｅｄ  Ｄｏｕｂｌｅ  Ｓａｍｐｌｉｎｇ）及びＡＧＣ（Ａｕｔｏ  Ｇａｉｎ  Ｃｏｎｔｒｏｌ）回路１６は、撮像素子１２からのアナログ信号をサンプリングすると共に、信号レベルのゲインを制御する。Ａ／Ｄ（Ａｎａｌｏｇ  ｔｏ  Ｄｉｇｉｔａｌ）変換器１８は、ＣＤＳ／ＡＧＣ回路１６のアナログ出力をデジタル信号に変換する。
【００１９】
マイク２０は、周囲の音を記録用に取り込み、カメラ信号処理回路２２に印加する。
【００２０】
カメラ信号処理回路２２は、Ａ／Ｄ変換器１８から出力されるデジタル画像データとマイク２０からの音声信号に周知のカメラ信号処理を施す。カメラ信号処理回路２２はまた、撮像素子１２の撮像タイミングを規定するタイミング信号を生成し、露出制御及びフォーカス制御などのカメラ撮像系の制御を、システム制御回路３２と連携して実行する。
【００２１】
メモリ制御回路２４は、記憶装置２６を制御すると共に、そのアドレス制御により、カメラ信号処理回路２２から出力される映像信号に特殊効果（フェードイン／アウト、ワイプ、スクロール、モザイク、白黒及びセピア処理など）を実現する。
【００２２】
記憶装置２６は、本実施例の各種制御手段を実現するプログラムおよびデータ等を格納するＲＯＭ及びＲＡＭからなり、更に、フラッシュメモリ及びＥＥＰＲＯＭなどの不揮発性メモリを具備する。不揮発性メモリには、初期設定に使用される初期値などが格納される。ＲＡＭの一部は作業領域としても使用される。
【００２３】
ビデオ制御回路２８は、テープ記録再生装置３２を制御する。ビデオ制御回路２８はまた、システム制御回路３４の制御下で、撮像系からのデジタル映像信号に、キャラクタジェネレータ３０で生成されるテキストタイトル及び外部映像情報記録用記録媒体３８から読み出される画像情報を合成する機能を具備する。
【００２４】
キャラクタジェネレータ３０は、文字及び記号の表示用画素（ｂｉｔ）パターンを記憶する読み出し専用メモリ（ＲＯＭ）を具備し、計時装置４２から読み出した日時を基に所定のキャラクタを読み出しビデオ制御回路２８に印加する。ビデオ制御回路２８は、メモリ制御回路２４からの映像信号に、その水平及び垂直同期信号に同期してキャラクタジェネレータ３０からのキャラクタを合成し、ＤＶ規格のＳＤフォーマットにエンコードしてテープ記録再生装置３２に印加する。
【００２５】
テープ記録再生装置３２は、ビデオ制御回路２８からの映像信号をＤＶテープに記録し、ＤＶテープに記録される映像信号を再生する。
【００２６】
システム制御回路３４は、本実施例の各制御手順を実行する。その詳細は、後述する。
【００２７】
外部記録媒体接続インターフェース３６には、外部記録媒体３８、例えばメモリカードが接続する。外部記録媒体３８には、予め、任意の静止画像が記録されているものとする。
【００２８】
入力操作装置４０は、選択ボタン、決定ボタン及び各種モードボタンなどを具備する。
【００２９】
計時装置４２は、リアルタイムクロック（ＲＴＣ）とバックアップ電池からなり、日時をカウントしており、システム制御回路３４からの要求に応じて日時情報を出力する。
【００３０】
Ｄ／Ａ変換器４４は、テープ記録再生装置３２からビデオ制御回路２８を介して入力するデジタル映像信号をアナログ信号に変換し、表示装置４６に印加する。
【００３１】
表示装置４６は、ＥＶＦ（Ｅｌｅｃｔｒｉｃａｌ  Ｖｉｅｗ  Ｆｉｎｄｅｒ）又はＬＣＤ表示パネルからなる。表示装置４６は、テープ記録再生装置３２の記録モードでは、撮像系からの映像信号を画像として表示し、テープ記録再生装置３２の再生モードでは、テープ記録再生装置３２からの再生映像信号を画像として表示する。表示装置４６はまた、操作装置４０によるユーザの入力操作情報、及び外部記録媒体３８内の任意の画像情報などを表示する。
【００３２】
ジャイロセンサ４８は、本実施例のビデオカメラ本体のブレ及び振動を検出し、角変位、角速度及び角加速度等の検出情報をシステム制御回路３４に出力する。システム制御回路３４は、ジャイロセンサ４８の検出出力に従い、ブレを打ち消すように、撮像素子１２から画像を読み出す有効画素エリアを制御する。
【００３３】
図２は、システム制御回路３４の制御手順のフローチャートを示す。図２を参照して、本実施例の特徴的な動作を説明する。図示しない撮影スタンバイスイッチがオンになると、図２に示すフローがスタートする。
【００３４】
操作装置４０に含まれる撮影開始スイッチが操作者により入れられるのを待機する（Ｓ１）。撮影開始スイッチがオンになると（Ｓ１）、システム制御回路３４は、予め設定され記憶装置２６の不揮発性メモリに記憶されている時間情報を、メモリ制御回路２６を介して読み込む（Ｓ２）。
【００３５】
システム制御回路３４は、取得した時間情報に基づき、内蔵するタイマのレジスタにカウントダウンの設定を行い、計時を開始する（Ｓ３）。
【００３６】
図３に示すように、表示装置４６の画面上に、ＯＳＤにより撮影映像に重ねて経過時間を表示する（Ｓ４）。ステップＳ２で読み込んだ設定時間が経過すると（Ｓ５）、映像記録を開始する（Ｓ６）。
【００３７】
図３は、撮影開始操作から映像記録の開始まで（ステップＳ２〜Ｓ６）の間のカウントダウン表示を例示する。ステップＳ２で読み出した時間情報が３秒であり、１秒間隔で時間表示が変化する。記録を開始するときには、文字”Ｓ”を○で囲んで表示する。
【００３８】
これにより、ユーザが操作装置４０の撮影開始スイッチを操作し、その操作による映像のブレが収まって、カウントダウン表示の映像記録開始を示す「Ｓ」表示までの間に、映像のフレーミングを安定させることが可能となる。ここでは、読み出した時間情報が３秒であるが、この３秒と言う時間は、ユーザが別途、設定可能である。
【００３９】
図４は、ユーザに撮影準備から撮影開始までの時間経過を示す別のＯＳＤ表示例を示す。撮影映像画面上方から、画面を横切る横線を時間経過と共にスムーズに画面下方に降ろし、撮影開始時に画面から消えるようにする。この方法では、ユーザは、画面上の文字数字を読み取らなくて済み、感覚的に映像記録開始タイミングを把握できるので、撮影対象により集中できる。
【００４０】
設定時間の経過を判定する方法として、例えば、システム制御回路３４が内蔵するタイマのレジスタに設定した時間（数値）がカウントダウンによりゼロになったかどうかを判定する。カウンタがゼロになると、システム制御回路３４に割り込みがかかり、撮影を開始する（Ｓ６）。割り込みがかかるまでは、ＯＳＤ表示（Ｓ４）を繰り返す（Ｓ５）。
【００４１】
撮影が開始されると、撮影映像は、ビデオ制御回路２８を介してテープ記録再生装置３２に供給され、デジタルビデオテープ（不図示）に記録される（Ｓ６）。
【００４２】
操作者が、操作装置４０の撮影終了スイッチをオンにすると、記録が終了する（Ｓ７）。ビデオカメラでは一般的に、１つのスイッチをトグル動作させ、撮影開始スイッチ及び撮影終了スイッチとして機能させる。
【００４３】
理解を容易にするために、テープ残量及び電源バッテリ残量による制御は、省略してある。
【００４４】
このように、本実施例では、デジタルビデオカメラを手持ち撮影しても、撮影者の撮影開始のスイッチ操作から、操作による映像のブレ／ゆれが収束するまでの任意の時間、記録開始を遅らせることで、ブレ映像の記録を防止できる。これはまた、手持ち撮影でかつ高倍率ズームの状態で撮影を開始する場合に、特に有効である。
【００４５】
また、映像記録開始を明示的に操作者に伝えることにより、撮影開始時の安定したフレーミングが可能になり、撮影タイミングを取り易くなる。
【００４６】
デジタルビデオカメラの実施例を説明したが、本発明は、操作者が直接、操作する映像記録装置全般に適用可能である。
【００４７】
（第２実施例）
撮影開始の指示から映像記録開始までの遅延制御を途中でキャンセルできるようにしてもよい。これにより、操作者の意図に従って、設定時間よりも早く、映像記録を開始できる。
【００４８】
図５は、映像記録開始の遅延制御をキャンセル可能にしたシステム制御回路３４のフローチャートを示す。図示しない撮影スタンバイスイッチがオンになると、図５に示すフローがスタートする。
【００４９】
操作装置４０に含まれる撮影開始スイッチが操作者により入れられるのを待機する（Ｓ１１）。撮影開始スイッチがオンになると（Ｓ１１）、システム制御回路３４は、予め設定され記憶装置２６の不揮発性メモリに記憶されている時間情報を、メモリ制御回路２６を介して読み込む（Ｓ１２）。
【００５０】
システム制御回路３４は、取得した時間情報に基づき、内蔵するタイマのレジスタにカウントダウンの設定を行い、計時を開始する（Ｓ１３）。
【００５１】
操作者は、記録開始の遅延制御をキャンセルしたい場合には、撮影開始スイッチを押し続ける。撮影開始スイッチが押し続けられている場合には（Ｓ１４）、即座に、映像の記録を開始する（Ｓ１７）。
【００５２】
撮影開始スイッチが押しつづけられているかどうかの基準となる時間は、操作者の操作性を考慮に入れて決定されるべきである。例えば、操作者の要求として、即座に撮影を開始したい状況であることから、操作によるブレ画像の記録を防止する時間よりも実用レベルで短い時間で撮影開始スイッチの押下状態の継続を判断して映像記録を開始する必要がある。例えば、計時開始（Ｓ１３）から０．８秒、撮影開始スイッチが押し続けられているか場合には、遅延制御のキャンセルと見做して、即座に記録を開始する（Ｓ１７）。なお、ここでは、操作者が撮影開始スイッチを押しつづけたかどうかを判定するのに、０．８秒は、例示であり、システム構成により適値が異なる。
【００５３】
遅延制御がキャンセルされない場合（Ｓ１４）、図３に示すように、表示装置４６の画面上に、ＯＳＤにより撮影映像に重ねて経過時間を表示する（Ｓ１５）。ステップＳ１２で読み込んだ設定時間が経過すると（Ｓ１６）、映像記録を開始する（Ｓ１７）。
【００５４】
設定時間の経過を判定する方法として、例えば、システム制御回路３４が内蔵するタイマのレジスタに設定した時間（数値）がカウントダウンによりゼロになったかどうかを判定する。カウンタがゼロになると、システム制御回路３４に割り込みがかかり、撮影を開始する（Ｓ１７）。割り込みがかかるまでは、ＯＳＤ表示（Ｓ１５）を繰り返す（Ｓ１６）。
【００５５】
撮影が開始されると、撮影映像は、ビデオ制御回路２８を介してテープ記録再生装置３２に供給され、デジタルビデオテープ（不図示）に記録される（Ｓ１７）。
【００５６】
操作者が、操作装置４０の撮影終了スイッチをオンにすると、記録が終了する（Ｓ１８）。ビデオカメラでは一般的に、１つのスイッチをトグル動作させ、撮影開始スイッチ及び撮影終了スイッチとして機能させる。
【００５７】
理解を容易にするために、テープ残量及び電源バッテリ残量による制御は、省略してある。
【００５８】
第２実施例では、第１実施例の効果に加えて、記録開始までのタイムラグを待てない時のキャンセル方法を提供する。ここでは、撮影開始の操作ボタンを押しっぱなしにすると、記録開始の遅延制御をキャンセルして、映像記録の開始を優先する。これにより、撮影チャンスを可能な限り逃さないようにすることが可能となる。
【００５９】
デジタルビデオカメラの実施例を説明したが、本発明は、操作者が直接、操作する映像記録装置全般に適用可能である。
【００６０】
（第３実施例）
次に、撮影開始の操作から所定時間の間、撮影映像に、フェードイン及びモザイク処理など、必要に応じた任意の特殊効果（エフェクト処理）を施して記録する実施例を説明する。特殊効果により、ブレを目立たせ無くすることができる。これはまた、つなぎ録りの場合に、繋ぎ部分を目立たせ無くする効果もある。
【００６１】
図６は、このような効果を実現するシステム制御回路３４の動作フローチャートを示す。図示しない撮影スタンバイスイッチがオンになると、図６に示すフローがスタートする。
【００６２】
操作装置４０に含まれる撮影開始スイッチが操作者により入れられるのを待機する（Ｓ２１）。撮影開始スイッチがオンになると（Ｓ２１）、システム制御回路３４は、予め設定され記憶装置２６の不揮発性メモリに記憶されている時間情報を、メモリ制御回路２６を介して読み込む（Ｓ２２）。
【００６３】
システム制御回路３４は、取得した時間情報に基づき、内蔵するタイマのレジスタにカウントダウンの設定を行い、計時を開始する（Ｓ２３）。
【００６４】
操作者は、特殊効果無しで記録を開始したい場合には、撮影開始スイッチを押し続ける。撮影開始スイッチが押し続けられている場合には（Ｓ２４）、即座に、特殊効果無しで映像の記録を開始する（Ｓ２８）。
【００６５】
撮影開始スイッチが押しつづけられているかどうかの基準となる時間は、操作者の操作性を考慮に入れて決定されるべきである。例えば、操作者の要求として、即座に撮影を開始したい状況であることから、操作によるブレ画像の記録を防止する時間よりも実用レベルで短い時間で撮影開始スイッチの押下状態の継続を判断して映像記録を開始する必要がある。例えば、計時開始（Ｓ２３）から０．８秒、撮影開始スイッチが押し続けられているか場合には、特殊効果無しで記録を開始する（Ｓ２８）。なお、ここでは、操作者が撮影開始スイッチを押しつづけたかどうかを判定するのに、０．８秒は、例示であり、システム構成により適値が異なる。
【００６６】
特殊効果有りの映像記録がキャンセルされない場合（Ｓ２４）、特殊効果付きで撮影映像を記録する（Ｓ２５〜Ｓ２７）。特殊効果は、例えば、時間に伴ってフェードインしたり、大きなモザイクから小さなモザイクに変化するものである。記録開始から設定時間が経過すると、特殊効果を終了する（Ｓ２６、Ｓ２７）。フェードイン及びモザイク処理等の特殊効果により、撮影開始スイッチの操作による映像のブレを目立たなくすると共に、撮影映像のつなぎ目での映像効果も期待できる。
【００６７】
設定時間の経過を判定する方法として、例えば、システム制御回路３４が内蔵するタイマのレジスタに設定した時間（数値）がカウントダウンによりゼロになったかどうかを判定する。カウンタがゼロになると、システム制御回路３４に割り込みがかかり、特殊効果（Ｓ２６）を終了する（Ｓ２７）。これ以後は、撮影映像がそのまま記録される。
【００６８】
操作者が、操作装置４０の撮影終了スイッチをオンにすると、記録が終了する（Ｓ２９）。ビデオカメラでは一般的に、１つのスイッチをトグル動作させ、撮影開始スイッチ及び撮影終了スイッチとして機能させる。
【００６９】
理解を容易にするために、テープ残量及び電源バッテリ残量による制御は、省略してある。
【００７０】
第３実施例では、操作者の操作による映像のブレ／ゆれが収束する相当時間の間、例えば、フェードイン又はモザイク処理など、必要に応じた任意の特殊効果（エフェクト処理）を撮影映像に施して記録するので、操作による映像のブレ／ゆれを目立たなくすると同時に、つなぎ撮りした時の効果的な映像処理を行うことが可能となる。
【００７１】
デジタルビデオカメラの実施例を説明したが、本発明は、操作者が直接、操作する映像記録装置全般に適用可能である。
【００７２】
（第４実施例）
第４の実施例では、ある一定以上のズーム倍率の場合に、映像記録の遅延制御を有効にする。即ち、撮影開始操作のブレ／ゆれによる撮影画像への影響が少ないような低倍率の場合には、撮影開始操作により、即時に映像記録を開始するが、ブレ／ゆれを無視できない倍率の場合には、撮影開始操作から所定時間、経過指定から映像記録を開始する。
【００７３】
図７は、第４実施例の動作フローチャートを示す。図示しない撮影スタンバイスイッチがオンになると、図７に示すフローがスタートする。
【００７４】
操作装置４０に含まれる撮影開始スイッチが操作者により入れられるのを待機する（Ｓ３１）。撮影開始スイッチがオンになると（Ｓ３１）、システム制御回路３４は、レンズ１０のズームセンサ（不図示）のズーム情報と、カメラ信号処理回路２２のデジタル処理によるズーム情報を取得し、現在の実質的なズーム倍率を算出する（Ｓ３２）。
【００７５】
ズーム倍率が任意に設定可能な閾値を超えているかどうかを判定する（Ｓ３３）。例えば、閾値として５０倍を設定したものとする。ズーム倍率が５０倍未満の場合（Ｓ３３）、即座に撮影映像の記録を開始する（Ｓ３９）。ズーム倍率が５０倍以上の場合（Ｓ３３）、図５を参照して説明したのと同様の、記録開始遅延制御プロセス（Ｓ３４以降）に入る。
【００７６】
記録開始遅延制御プロセスでは、システム制御回路３４は、予め設定され記憶装置２６の不揮発性メモリに記憶されている時間情報を、メモリ制御回路２６を介して読み込む（Ｓ３４）。
【００７７】
システム制御回路３４は、取得した時間情報に基づき、内蔵するタイマのレジスタにカウントダウンの設定を行い、計時を開始する（Ｓ３５）。
【００７８】
操作者は、記録開始の遅延制御をキャンセルしたい場合には、撮影開始スイッチを押し続ける。撮影開始スイッチが押し続けられている場合には（Ｓ３６）、即座に、映像の記録を開始する（Ｓ３９）。
【００７９】
撮影開始スイッチが押しつづけられているかどうかの基準となる時間は、操作者の操作性を考慮に入れて決定されるべきである。例えば、操作者の要求として、即座に撮影を開始したい状況であることから、操作によるブレ画像の記録を防止する時間よりも実用レベルで短い時間で撮影開始スイッチの押下状態の継続を判断して映像記録を開始する必要がある。例えば、計時開始（Ｓ３５）から０．８秒、撮影開始スイッチが押し続けられているか場合には、遅延制御のキャンセルと見做して、即座に記録を開始する（Ｓ３９）。なお、ここでは、操作者が撮影開始スイッチを押しつづけたかどうかを判定するのに、０．８秒は、例示であり、システム構成により適値が異なる。
【００８０】
遅延制御がキャンセルされない場合（Ｓ３６）、図３に示すように、表示装置４６の画面上に、ＯＳＤにより撮影映像に重ねて経過時間を表示する（Ｓ３７）。ステップＳ３４で読み込んだ設定時間が経過すると（Ｓ３８）、映像記録を開始する（Ｓ３９）。
【００８１】
設定時間の経過を判定する方法として、例えば、システム制御回路３４が内蔵するタイマのレジスタに設定した時間（数値）がカウントダウンによりゼロになったかどうかを判定する。カウンタがゼロになると、システム制御回路３４に割り込みがかかり、撮影を開始する（Ｓ３９）。割り込みがかかるまでは、ＯＳＤ表示（Ｓ３７）を繰り返す（Ｓ３８）。
【００８２】
撮影が開始されると、撮影映像は、ビデオ制御回路２８を介してテープ記録再生装置３２に供給され、デジタルビデオテープ（不図示）に記録される（Ｓ３９）。
【００８３】
操作者が、操作装置４０の撮影終了スイッチをオンにすると、記録が終了する（Ｓ４０）。ビデオカメラでは一般的に、１つのスイッチをトグル動作させ、撮影開始スイッチ及び撮影終了スイッチとして機能させる。
【００８４】
理解を容易にするために、テープ残量及び電源バッテリ残量による制御は、省略してある。
【００８５】
この実施例では、ズーム倍率があまり高くない広角側の撮影において、撮影開始操作から映像記録開始までのレスポンスを犠牲にせず、ズーム倍率が高い場合にのみ、操作ブレ画像を記録しないようにできる。但し、レンズの焦点距離、デジタルカメラ筐体の形状、並びに、撮影開始ボタンの位置及び押し込むのに必要な力などによって、操作による映像ブレが異なる。すなわち、ここで設定した５０倍という倍率は、どのような状況にも適用されるものではない。
【００８６】
図５に示すフローに、ズーム倍率による切換えを組み合わせた実施例を説明したが、図６に示すフローに、ズーム倍率による切換えを組み合わせても良いことはいうまでもない。
【００８７】
ズーム倍率が１つの閾値以上か否かにより、操作ブレ画像の記録防止プロセスを起動するかどうかを制御したが、操作ブレ画像の記録防止プロセス内で、ズーム倍率に連動して、撮影開始スイッチを操作してから記録開始するまでの時間を変化させてもよい。即ち、ズーム倍率が高い場合には、像ブレが大きく現れる可能性が高いので、映像記録までの時間を比較的長くとり、ズーム倍率が低い場合には、映像記録までの時間を短くしていくことで、撮影の利便性が向上する。
【００８８】
このように、第４実施例では、ズーム倍率に連動して、撮影者の撮影開始操作のブレ／ゆれによる撮影映像の記録開始を制御することにより、撮影状況に適したデジタルビデオカメラ（映像記録装置）を提供できる。
【００８９】
デジタルビデオカメラの実施例を説明したが、本発明は、操作者が直接、操作する映像記録装置全般に適用可能である。
【００９０】
【発明の効果】
以上の説明から容易に理解できるように、本発明によれば、デジタルビデオカメラなどによる撮影において、高倍率ズームでの撮影時に、即座に撮影映像を記録する動作と、所定時間後に撮影映像を記録する動作とが選択的に実行できる。所定時間、記録開始を遅らせることで、ブレ映像の記録を防止できる。特に、手持ち撮影でかつ高倍率ズームの状態からの撮影を開始する時の、操作者の操作によりブレてしまった映像がそのまま記録されてしまうことを簡便に防止できる。操作によるブレに起因した映像が再生されることを、編集無しで無くすことが可能となる。
【００９４】
ズーム倍率に連動して、撮影者の撮影開始操作のブレ／ゆれによる撮影映像の記録制御を行うことで、より、撮影状況に適したデジタルビデオカメラ（映像記録装置）を提供することが可能となる。
【図面の簡単な説明】
【図１】  本発明の一実施例の概略構成ブロック図である。
【図２】  システム制御回路３４の第１の制御フローチャートである。
【図３】  記録開始を遅延する制御での表示例である。
【図４】  記録開始を遅延する制御での別の表示例である。
【図５】  システム制御回路３４の第２の制御フローチャートである。
【図６】  システム制御回路３４の第３の制御フローチャートである。
【図７】  システム制御回路３４の第４の制御フローチャートである。
【符号の説明】
１０：ズーム付きレンズ
１２：撮像素子
１４：撮像素子駆動回路
１６：ＣＤＳ／ＡＧＣ回路
１８：Ａ／Ｄ変換器
２０：マイク
２２：カメラ信号処理回路
２４：メモリ制御回路
２６：記憶装置
２８：ビデオ制御回路
３０：キャラクタジェネレータ
３２：テープ記録再生装置
３４：システム制御回路
３６：外部記録媒体接続インターフェース
３８：外部記録媒体
４０：入力操作装置
４２：計時装置
４４：Ｄ／Ａ変換器
４６：表示装置
４８：ジャイロセンサ
【図１】
0004072339.tif 000002
【図２】
0004072339.tif 000003
【図３】
0004072339.tif 000004
【図４】
0004072339.tif 000005
【図５】
0004072339.tif 000006
【図６】
0004072339.tif 000007
【図７】
0004072339.tif 000008